(57)【特許請求の範囲】
【請求項１】
近赤外光を被照射部位へ照射する近赤外光照射装置と組合わせて使用する電子内視鏡装置において、
被照射部位を含む被観察部へ前記近赤外光を含まない白色の照明光を照射する照明手段と、
前記近赤外光および前記照明光が照射された被観察部の光像をＲ（赤）成分と、Ｇ（緑）成分と、Ｂ（青）成分と、ＩＲ（近赤外）成分とに色分離するフィルタ手段と、
前記フィルタ手段により色分離された光像を撮像する撮像手段と、
前記Ｒ成分に基いたＲ画像信号と、前記Ｇ成分に基いたＧ画像信号と、前記Ｂ成分に基いたＢ画像信号および前記ＩＲ成分に基いたＩＲ画像信号を加算したＢ+ＩＲ画像信号とからＲＧＢカラー画像信号を生成するカラー画像信号生成手段とを有することを特徴とする電子内視鏡装置。
【請求項２】
近赤外光を被照射部位へ照射する近赤外光照射装置と組合わせて使用する電子内視鏡装置において、
被照射部位を含む被観察部へ前記近赤外光を含まない白色の照明光を照射する照明手段と、
前記近赤外光および前記照明光が照射された被観察部の光像をＲ（赤）成分と、Ｇ（緑）成分と、Ｂ（青）成分およびＩＲ（近赤外）成分からなるＢ＋ＩＲ成分とに色分離するフィルタ手段と、
前記フィルタ手段により色分離された光像を撮像する撮像手段と、
前記Ｒ成分に基いたＲ画像信号と、前記Ｇ成分に基いたＧ画像信号と、前記Ｂ＋ＩＲ成分に基いたＢ+ＩＲ画像信号とからＲＧＢカラー画像信号を生成するカラー画像信号生成手段とを有することを特徴とする電子内視鏡装置。
【請求項３】
前記カラー画像信号生成手段が、前記Ｒ画像信号と、前記Ｇ画像信号と、前記Ｂ+ＩＲ画像信号とに数値データ処理を施して、Ｂ+ＩＲ画像信号が強調されたＲＧＢカラー画像信号を生成するものであることを特徴とする請求項１または２記載の電子内視鏡装置。
【請求項４】
近赤外光を被照射部位へ照射する近赤外光照射装置と組合わせて使用する電子内視鏡装置において、
被照射部位を含む被観察部へ前記近赤外光を含まない白色の照明光を照射する照明手段と、
前記近赤外光および前記照明光が照射された被観察部の光像をＲ（赤）成分と、Ｇ（緑）成分と、Ｂ（青）成分とＩＲ（近赤外）成分とに色分離するフィルタ手段と、
前記フィルタ手段により色分離された光像を撮像する撮像手段と、
前記Ｒ成分に基いたＲ画像信号と、前記Ｇ成分に基いたＧ画像信号および前記ＩＲ成分に基いたＩＲ画像信号を加算したＧ+ＩＲ画像信号と、前記Ｂ成分に基いたＢ画像信号とからＲＧＢカラー画像信号を生成するカラー画像信号生成手段とを有することを特徴とする電子内視鏡装置。
【請求項５】
近赤外光を被照射部位へ照射する近赤外光照射装置と組合わせて使用する電子内視鏡装置において、
被照射部位を含む被観察部へ前記近赤外光を含まない白色の照明光を照射する照明手段と、
前記近赤外光および前記照明光が照射された被観察部の光像をＲ（赤）成分と、Ｇ（緑）成分およびＩＲ（近赤外）成分からなるＧ＋ＩＲ成分と、Ｂ（青）成分とに色分離するフィルタ手段と、
前記フィルタ手段により色分離された光像を撮像する撮像手段と、
前記Ｒ成分に基いたＲ画像信号と、前記Ｇ＋ＩＲ成分に基いたＧ＋ＩＲ画像信号と、前記Ｂ成分に基いたＢ画像信号とからＲＧＢカラー画像信号を生成するカラー画像信号生成手段とを有することを特徴とする電子内視鏡装置。
【請求項６】
前記カラー画像信号生成手段が、前記Ｒ画像信号と、前記Ｇ+ＩＲ画像信号と、前記Ｂ画像信号とに数値データ処理を施して、Ｇ+ＩＲ画像信号が強調されたＲＧＢカラー表示画像を生成するものであることを特徴とする請求項４または５記載の電子内視鏡装置。
【請求項７】
近赤外光を被照射部位へ照射する近赤外光照射装置と組合わせて使用する電子内視鏡装置において、
被照射部位を含む被観察部へ前記近赤外光を含まない白色の照明光を照射する照明手段と、
前記近赤外光および前記照明光が照射された被観察部の光像をＲ（赤）成分と、Ｇ（緑）成分と、Ｂ（青）成分とＩＲ（近赤外）成分とに色分離するフィルタ手段と、
前記フィルタ手段により色分離された光像を撮像する撮像手段と、
前記Ｒ成分に基いたＲ画像信号および前記ＩＲ成分に基いたＩＲ画像信号を加算したＲ+ＩＲ画像信号と、前記Ｇ成分に基いたＧ画像信号と、前記Ｂ成分に基いたＢ画像信号とからＲＧＢカラー画像信号を生成するカラー画像信号生成手段とを有し、
前記カラー画像信号生成手段が、前記Ｒ+ＩＲ画像信号と、前記Ｇ画像信号と、前記Ｂ画像信号とに数値データ処理を施して、Ｒ+ＩＲ画像信号が強調されたＲＧＢカラー表示画像を生成するものであることを特徴とする電子内視鏡装置。
【請求項８】
近赤外光を被照射部位へ照射する近赤外光照射装置と組合わせて使用する電子内視鏡装置において、
被照射部位を含む被観察部へ前記近赤外光を含まない白色の照明光を照射する照明手段と、
前記近赤外光および前記照明光が照射された被観察部の光像をＲ（赤）成分およびＩＲ（近赤外）成分からなるＲ＋ＩＲ成分と、Ｇ（緑）成分と、Ｂ（青）成分とに色分離するフィルタ手段と、
前記フィルタ手段により色分離された光像を撮像する撮像手段と、
前記Ｒ＋ＩＲ成分に基いたＲ+ＩＲ画像信号と、前記Ｇ成分に基いたＧ画像信号と、前記Ｂ成分に基いたＢ画像信号とからＲＧＢカラー画像信号を生成するカラー画像信号生成手段とを有し、
前記カラー画像信号生成手段が、前記Ｒ+ＩＲ画像信号と、前記Ｇ画像信号と、前記Ｂ画像信号とに数値データ処理を施して、Ｒ+ＩＲ画像信号が強調されたＲＧＢカラー表示画像を生成するものであることを特徴とする電子内視鏡装置。
【請求項９】
前記近赤外光照射装置が、近赤外光を被照射部位へ照射し、該被照射部位の所定深度からの反射光に基づいて、被照射部位の光断層画像を取得する光断層画像取得装置である事を特徴とする請求項１から８いずれか１項記載の電子内視鏡装置。
【発明の詳細な説明】
【技術分野】
【０００１】
本発明は、白色の照明光を被観察部へ照射し、該被観察部のカラー画像を取得する電子内視鏡に関し、特に近赤外光を被照射部位へ照射する近赤外光照射装置と組合わせて使用する電子内視鏡装置に関するものである。
【背景技術】
【０００２】
従来、生体などの光断層画像を取得する光断層画像取得装置の開発が進められている。これらの光断層画像の取得方法としては、周波数掃引されたコヒーレンス光による光干渉を用いた方法や、低コヒーレンス光による光干渉を用いた方法等が知られている。
【０００３】
特に、低コヒーレンス光干渉光の光強度をヘテロダイン検波により測定することにより、測定部の光断層画像を取得するＯＣＴ（Optical Coherence Tomography）装置は、実用化されつつある。
【０００４】
このＯＣＴ装置は、ＳＬＤ(Super Luminescent Diode）等から成る光源から出射された低コヒーレンス光を測定光と参照光に分割し、ピエゾ素子等により参照光または測定光の周波数を僅かにシフトさせ、測定光を被測定物に照射し、被照射部位からの反射光と参照光とを干渉させ、その干渉光の光強度をヘテロダイン検波により測定し、光断層情報を取得するものであり、参照光の光路上に配置した可動ミラー等を微少移動させ、参照光の光路長を僅かに変化させることにより、参照光の光路長と測定光の光路長が一致した被照射部位の所定の深度での情報を得ることができる。また測定光を照射する部位を僅かにずらしながら、測定を繰り返すことにより、所定の領域の光断層画像を取得することができる（例えば非特許文献１参照）。
【０００５】
このようなＯＣＴ装置を使用すれば、早期癌の深達度診断なども可能となるため、内視鏡装置の鉗子口に挿入可能なＯＣＴプローブにより測定光および測定光の反射光を導光して、体腔内の光断層画像を取得する方法の開発が進められている（例えば特許文献１参照）。この特許文献１には、測定光を導光する光ファイバと、この光ファイバの先端に配設され、測定光を直角に反射するミラーを備えたＯＣＴプローブを内視鏡の鉗子口を介して体腔内に挿入し、先端のミラーを回転させることにより、体腔壁の光断層画像を表示するＯＣＴ装置が記載されている。
【０００６】
このようなＯＣＴ装置では、被照射部位における光損失を抑制するために、測定光として近赤外光が使用されることが多いが、近赤外光は視認できないため、例えばＨｅ−Ｎｅレーザ光等の可視光を同軸上に重畳して、エイミング光として使用している。
【０００７】
また、レーザ治療機の分野においても、例えばＹＡＧレーザ光等の近赤外光が使用され、やはり可視光がエイミング光として使用されている。
【非特許文献１】OPTICS LETTER Vol.24,No19 P1358〜P1360 by Andrew M Rollins and Rujchai Ung-arunyawee
【特許文献１】特開２００２−２０００３７
【発明の開示】
【発明が解決しようとする課題】
【０００８】
近年、実用に当たって、光断層画像取得装置等の近赤外光照射装置の小型化および構成の簡素化が望まれているが、エイミング光を近赤外光と同軸上に重畳するためには、光路上にダイクロイックミラー等の光学素子あるいは合波用のカプラー等を配置する必要があり、近赤外光照射装置の小型化および簡素化が妨げられるという問題がある。一方、エイミング光がない場合には、近赤外光の照射部位を視認できないという問題がある。
【０００９】
本発明は上記問題に鑑みてなされたものであり、エイミング光を備えていない近赤外光照射装置と組合わせた場合であっても、近赤外光の照射部位を視認可能な電子内視鏡装置を提供することを目的とするものである。
【課題を解決するための手段】
【００１０】
本発明の電子内視鏡装置は、近赤外光を被照射部位へ照射する近赤外光照射装置と組合わせて使用する電子内視鏡装置において、
被照射部位を含む被観察部へ前記近赤外光を含まない白色の照明光を照射する照明手段と、
前記近赤外光および前記照明光が照射された被観察部の光像をＲ（赤）成分と、Ｇ（緑）成分と、Ｂ（青）成分と、ＩＲ（近赤外）成分とに色分離するフィルタ手段と、
前記フィルタ手段により色分離された光像を撮像する撮像手段と、
前記Ｒ成分に基いたＲ画像信号と、前記Ｇ成分に基いたＧ画像信号と、前記Ｂ成分およびＩＲ成分に基づいたＢ+ＩＲ画像信号とからＲＧＢカラー画像信号を生成するカラー画像信号生成手段とを有することを特長とするものである。
【００１１】
なお、ここで「近赤外光」とは、波長が８００ｎｍ以上２５００ｎｍ以下の光を意味している。また、ＲＧＢカラー画像信号とは、Ｒ画像信号に基いたＲカラー画像信号と、Ｇ画像信号に基いたＧカラー画像信号とＢ+ＩＲ画像信号に基いたＢカラー画像信号とを意味している。
【００１２】
また、フィルタ手段は、Ｒ成分を透過するＲフィルタと、Ｇ成分を透過するＧフィルタと、Ｂ成分を透過するＢフィルタと、ＩＲ成分を透過するＩＲフィルタとからなるものであってもよいし、Ｒ成分を透過するＲフィルタと、Ｇ成分を透過するＧフィルタと、Ｂ成分およびＩＲ成分を透過するＢ+ＩＲフィルタとからなるものであってもよい。
【００１３】
前記カラー画像信号生成手段は、前記Ｒ画像信号と、前記Ｇ画像信号と、前記Ｂ+ＩＲ画像信号とに数値データ処理を施して、Ｂ+ＩＲ画像信号が強調されたＲＧＢカラー画像信号を生成するものであってもよい。
【００１４】
本発明の他の電子内視鏡装置は、近赤外光を被照射部位へ照射する近赤外光照射装置と組合わせて使用する電子内視鏡装置において、
被照射部位を含む被観察部へ前記近赤外光を含まない白色の照明光を照射する照明手段と、
前記近赤外光および前記照明光が照射された被観察部の光像をＲ（赤）成分と、Ｇ（緑）成分と、Ｂ（青）成分とＩＲ（近赤外）成分とに色分離するフィルタ手段と、
前記フィルタ手段により色分離された光像を撮像する撮像手段と、
前記Ｒ成分に基いたＲ画像信号と、前記Ｇ成分およびＩＲ成分に基いたＧ+ＩＲ画像信号と、前記Ｂ成分に基づいたＢ画像信号とからＲＧＢカラー画像信号を生成するカラー画像信号生成手段とを有することを特長とするものである。
【００１５】
なお、ここで「近赤外光」とは、波長が８００ｎｍ以上２５００ｎｍ以下の光を意味している。また、ＲＧＢカラー画像信号とは、Ｒ画像信号に基いたＲカラー画像信号と、Ｇ+ＩＲ画像信号に基いたＧカラー画像信号とＢ画像信号に基いたＢカラー画像信号とを意味している。
【００１６】
フィルタ手段は、Ｒ成分を透過するＲフィルタと、Ｇ成分を透過するＧフィルタと、Ｂ成分を透過するＢフィルタと、ＩＲ成分を透過するＩＲフィルタとからなるものであってもよいし、Ｒ成分を透過するＲフィルタと、Ｇ成分およびＩＲ成分を透過するＧ+ＩＲフィルタと、Ｂ成分を透過するＢフィルタとからなるものであってもよい。
【００１７】
前記カラー画像信号生成手段は、前記Ｒ画像信号と、前記Ｇ+ＩＲ画像信号と、前記Ｂ画像信号とに数値データ処理を施して、Ｇ+ＩＲ画像信号が強調されたＲＧＢカラー表示画像を生成するものであってもよい。
【００１８】
本発明のさらに他の電子内視鏡装置は、近赤外光を被照射部位へ照射する近赤外光照射装置と組合わせて使用する電子内視鏡装置において、
被照射部位を含む被観察部へ前記近赤外光を含まない白色の照明光を照射する照明手段と、
前記近赤外光および前記照明光が照射された被観察部の光像をＲ（赤）成分と、Ｇ（緑）成分と、Ｂ（青）成分とＩＲ（近赤外）成分とに色分離するフィルタ手段と、
前記フィルタ手段により色分離された光像を撮像する撮像手段と、
前記Ｒ成分およびＩＲ成分に基いたＲ+ＩＲ画像信号と、前記Ｇ成分に基いたＧ画像信号と、前記Ｂ成分に基づいたＢ画像信号とからＲＧＢカラー画像信号を生成するカラー画像信号生成手段とを有することを特長とするものである。
【００１９】
なお、ここで「近赤外光」とは、波長が８００ｎｍ以上２５００ｎｍ以下の光を意味している。また、ＲＧＢカラー画像信号とは、Ｒ+ＩＲ画像信号に基いたＲカラー画像信号と、Ｇ画像信号に基いたＧカラー画像信号とＢ画像信号に基いたＢカラー画像信号とを意味している。
【００２０】
フィルタ手段は、Ｒ成分を透過するＲフィルタと、Ｇ成分を透過するＧフィルタと、Ｂ成分を透過するＢフィルタと、ＩＲ成分を透過するＩＲフィルタとからなるものであってもよいし、Ｒ成分およびＩＲ成分を透過するＲ+ＩＲフィルタと、Ｇ成分を透過するＧフィルタと、Ｂ成分を透過するＢフィルタとからなるものであってもよい。
【００２１】
また、前記カラー画像信号生成手段は、前記Ｒ+ＩＲ画像信号と、前記Ｇ画像信号と、前記Ｂ画像信号とに数値データ処理を施して、Ｒ+ＩＲ画像信号が強調されたＲＧＢカラー表示画像を生成するものであってもよい。
【００２２】
上記各電子内視鏡装置に組み合わされる前記近赤外光照射装置は、近赤外光を被照射部位へ照射し、該被照射部位の所定深度からの反射光に基づいて、被照射部位の光断層画像を取得する光断層画像取得装置であってもよい。
【００２３】
なお、上記各電子内視鏡装置において、フィルタ手段は、原色系のフィルタ手段に限定されるものではなく、補色系のフィルタ手段であってもよい。
【発明の効果】
【００２４】
本発明による電子内視鏡装置においては、被観察部の光像をＲ（赤）成分と、Ｇ（緑）成分と、Ｂ（青）成分と、ＩＲ（近赤外）成分とに色分離し、Ｒ成分に基いたＲ画像信号と、Ｇ成分に基いたＧ画像信号と、Ｂ成分およびＩＲ成分に基づいたＢ+ＩＲ画像信号とからＲＧＢカラー画像信号を生成し、このＲＧＢカラー画像信号に基づいたカラー画像を表示することにより、カラー画像内に、近赤外光の照射部位が青色に表示されるので、近赤外光照射装置がエイミング光を備えていない場合であっても、観察者は近赤外光の照射部位を視認することができる。
【００２５】
また、フィルタ手段が、Ｒ成分を透過するＲフィルタと、Ｇ成分を透過するＧフィルタと、Ｂ成分およびＩＲ成分を透過するＢ+ＩＲフィルタとからなるものであれば、フィルタ手段以外の構成は、既存の電子内視鏡装置の構成と同一にすることができ、安価に本発明の電子内視鏡装置を作成することができる。
【００２６】
前記カラー画像信号生成手段が、Ｒ画像信号と、Ｇ画像信号と、Ｂ+ＩＲ画像信号とに数値データ処理を施して、Ｂ+ＩＲ画像信号が強調されたＲＧＢカラー画像信号を生成するものであれば、撮像手段のＩＲ成分の撮像感度が良好でない場合であっても、近赤外光の照射部位を明瞭な青色に表示することができる。
【００２７】
本発明の他の電子内視鏡装置は、被観察部の光像をＲ（赤）成分と、Ｇ（緑）成分と、Ｂ（青）成分とＩＲ（近赤外）成分とに色分離し、Ｒ成分に基いたＲ画像信号と、Ｇ成分およびＩＲ成分に基いたＧ+ＩＲ画像信号と、Ｂ成分に基づいたＢ画像信号とからＲＧＢカラー画像信号を生成し、該ＲＧＢカラー画像信号に基いたカラー画像を表示することにより、カラー画像内に、近赤外光の照射部位が緑色に表示されるので、近赤外光照射装置がエイミング光を備えていない場合であっても、観察者は近赤外光の照射部位を視認することができる。
【００２８】
また、フィルタ手段が、Ｒ成分を透過するＲフィルタと、Ｇ成分およびＩＲ成分を透過するＧ+ＩＲフィルタと、Ｂ成分を透過するＢフィルタとからなるものであれば、フィルタ手段以外の構成は、既存の電子内視鏡装置の構成と同一にすることができ、安価に本発明の電子内視鏡装置を作成することができる。
【００２９】
前記カラー画像信号生成手段が、Ｒ画像信号と、Ｇ+ＩＲ画像信号と、Ｂ画像信号とに数値データ処理を施して、Ｇ+ＩＲ画像信号が強調されたＲＧＢカラー表示画像を生成するものであれば、撮像手段のＩＲ成分の撮像感度が良好でない場合であっても、近赤外光の照射部位を明瞭な緑色に表示することができる。
【００３０】
本発明のさらに他の電子内視鏡装置は、被観察部の光像をＲ（赤）成分と、Ｇ（緑）成分と、Ｂ（青）成分とＩＲ（近赤外）成分とに色分離し、Ｒ成分およびＩＲ成分に基いたＲ+ＩＲ画像信号と、Ｇ成分に基いたＧ画像信号と、Ｂ成分に基づいたＢ画像信号とからＲＧＢカラー画像信号を生成し、該ＲＧＢカラー画像信号に基いたカラー画像を表示することにより、カラー画像内に、近赤外光の照射部位が赤色に表示されるので、近赤外光照射装置がエイミング光を備えていない場合であっても、観察者は近赤外光の照射部位を視認することができる。
【００３１】
また、フィルタ手段が、Ｒ成分およびＩＲ成分を透過するＲ+ＩＲフィルタと、Ｇ成分を透過するＧフィルタと、Ｂ成分を透過するＢフィルタとからなるものであれば、フィルタ手段以外の構成は、既存の電子内視鏡装置の構成と同一にすることができ、安価に本発明の電子内視鏡装置を作成することができる。
【００３２】
前記カラー画像信号生成手段が、Ｒ+ＩＲ画像信号と、Ｇ画像信号と、Ｂ画像信号とに数値データ処理を施して、Ｒ+ＩＲ画像信号が強調されたＲＧＢカラー表示画像を生成するものであれば、撮像手段のＩＲ成分の撮像感度が良好でない場合であっても、近赤外光の照射部位を明瞭な赤色に表示することができる。
【発明を実施するための最良の形態】
【００３３】
以下、本発明の具体的な実施の形態について図面を用いて説明する。まず、本発明の実施形態である電子内視鏡装置について図１を参照して説明する。本電子内視鏡装置は、光断層画像取得装置と組合わせて使用されるものである。
【００３４】
電子内視鏡装置は、被検者の体腔１内に挿入される内視鏡の挿入部10と、生体の体腔１内の観察部のカラー画像２を取得する観察部画像取得部11と、カラー画像を表示するモニタ12とを備えている。また、光断層画像取得装置は、体腔１内の測定領域３の光断層画像を取得するＯＣＴ取得部13と、電子内視鏡の挿入部10に設けられた鉗子口71に挿入されるＯＣＴプローブ14と、光断層画像取得動作を制御するＯＣＴ制御部15と光断層画像４を表示するモニタ16とを備えている。
【００３５】
挿入部10は、挿入部10内を貫通する鉗子口71と、内部に先端まで延びるＣＣＤケーブル72とライトガイド73とを備えている。ＣＣＤケーブル72の先端には、モザイクフィルタ78がオンチップされたＣＣＤ撮像素子74が接続されている。ライトガイド73の先端部、すなわち挿入部10の先端部には、照明レンズ75が備えられている。また挿入部10の先端部には撮像レンズ76が備えられ、この撮像レンズ76の内側にはプリズム77が設けられている。
【００３６】
モザイクフィルタ78は、６００nm〜７５０ｎｍの波長帯域の光を透過するＲフィルタ78ａと、５００ｎｍ〜６００ｎｍの波長帯域の光を透過するＧフィルタ78ｂと、４００ｎｍ〜５００ｎｍおよび９５０ｎｍ〜１１００ｎｍの波長帯域の光を透過するＢ+ＩＲフィルタ78ｃが、図２に示すようなパターンで配置されている。なお、図３に各フィルタの透過特性を記載する。
【００３７】
ライトガイド73は、観察部画像取得部11へ接続されている。観察部画像取得部11は、観察部画像撮像用の白色光L6を発する白色光源81と、ＣＣＤ撮像素子74で撮像された画像信号に基いて、ＲＧＢカラー画像信号を生成する画像処理部83と、該画像処理部83から出力されたＲＧＢカラー画像信号をビデオ信号に変換してモニタ12へ出力するビデオ信号処理回路85とを備えている。なお、画像処理部83は、本発明のカラー画像信号生成手段として機能するものである。
【００３８】
白色光源81は、波長６８０nm以上の光はカットフィルタによりカットされた白色光を発する光源である。また、画像処理部83は、Ｒフィルタ78ａを透過して撮像されたＲ画像信号と、Ｇフィルタ78ｂを透過して撮像されたＧ画像信号と、Ｂ+ＩＲフィルタを透過して撮像されたＢ+ＩＲ画像信号とにマトリクス演算を施し、Ｒカラー画像信号、Ｇカラー画像信号およびＢカラー画像信号からなるＲＧＢカラー画像信号を生成し、表示画像用メモリ84へ記憶し、表示タイミングに合わせてＲカラー画像信号、Ｇカラー画像信号およびＢカラー画像信号を同期をとって出力するものである。ビデオ信号処理回路85では、Ｒカラー画像信号、Ｇカラー画像信号およびＢカラー画像信号をビデオ信号に変換し、モニタ12へ出力する。モニタ12には、カラー画像が表示される。なお、画像処理部83におけるマトリクス演算は、Ｒ画像信号およびＧ画像信号に比べ、Ｂ+ＩＲ画像信号を強調するようにマトリクスの係数が予め設定されている。
【００３９】
ＯＣＴ取得部13は、中心波長１．０μｍで、コヒーレンス長が２０μｍである低コヒーレンス光L1を出射する光源部100 と、低コヒーレンス光L1の参照光L3および測定光L4への分割および合波を行うファイバ結合光学系120 と、参照光L3の光路上に配され、参照光L3の光路長を変化させる光路長変更部130 と、測定領域３の測定点で反射された測定光L4’と参照光L3との干渉光L5の光強度を検出するバランス差分検出部150 と、該バランス差分検出部150 で検出された干渉光L5の光強度から測定領域３の測定点で反射された測定光L4’の強度を求めるヘテロダイン検出を行い、光断層画像データを生成する信号処理部160 とを備えている。
【００４０】
ＯＣＴ取得部13の光源部100 は、低コヒーレンス光L1を射出するＳＬＤ(Super Luminescent Diode) 101 と、該ＳＬＤ101 から射出された低コヒーレンス光L1を集光するレンズ102 とを備えている。
【００４１】
ファイバ結合光学系120 は、光源部100 から出射された低コヒーレンス光L1を測定光L4と参照光L3とに分割し、また、測定光L4の測定領域３からの反射である測定光L4’と参照光L3を合波し、干渉光L5を得るファイバカプラ121 と、光源部100 とファイバカプラ121 の間に設けられるファイバカプラ122  と、参照光L3に僅かな周波数シフトを生じさせるピエゾ素子124 と、光源部100 とファイバカプラ122 を繋ぐファイバ125 と、ファイバカプラ121 および122 を介して光路長変更部130 とバランス差分検出部150 を繋ぐファイバ127 と、ファイバカプラ121 を介してＯＣＴプローブ14とバランス差分検出部150 を繋ぐファイバ128 とを備えている。なお、ファイバ125 、127 および128 はシングルモード光ファイバである。
【００４２】
光路長変更部130 は、プリズム132 と、ファイバ127 から射出された参照光L3を平行光に変換してプリズム132 へ入射させ、またプリズム132 で反射された参照光L3をファイバ127 へ入射させるレンズ131 と、プリズム132 を図１における水平方向への移動させることにより参照光L3の光路長を変化させるプリズム移動部133 とを備えている。プリズム移動部133 は、ＯＣＴ制御部15の制御により動作するものである。
【００４３】
バランス差分検出部150 は、干渉光L5の光強度を測定する光検出器151 および152 と、光検出器151 の検出値と光検出器152 の検出値の入力バランスを調整し、ノイズ成分やドリフト成分を相殺した上で、差分を増幅する差動増幅器153 とを備えている。
【００４４】
ＯＣＴプローブ14は、挿入部10の鉗子口71に挿入可能な被覆管173 と該被覆管173 の中を貫通し、該被覆管173に対して回転可能な回転シース174と、該回転シース174の中を貫通するファイバ172 と、回転シース174へ固定された集光レンズ系175 と、集光レンズ系175 のさらに先端部、回転シース174の先端部に設けられた測定光L4および測定光L4’を直角に反射するミラー176 とを備えている。なお、被覆管173 および回転シース174の先端部は、測定光L4に対して透明である。また、また被覆管173 および回転シース174の根本部分には、回転シース174を回転させるセンターレスモータ184 および被覆管173 をスライドさせるプローブ移動部185 が取り付けられている。
【００４５】
ＯＣＴ制御部15は、ＯＣＴ取得部13の各部位に接続され、適宜各部位の動作タイミングを制御するものである。また、センターレスモータ184 およびプローブ移動部185の動作を制御して、測定光L4の照射位置および測定光L4の照射方向の回転を制御するものである。
【００４６】
次に本発明の第１の具体的な実施の形態である電子内視鏡装置の動作について説明する。観察者は電子内視鏡装置の挿入部10を被験者の体腔内に挿入し、観察部画像２をモニタ12に表示する。この際には、先ず観察部画像取得部11の白色光源81から出力される白色光L6は、レンズ82 によってライトガイド73 に入射され、挿入部10 の先端まで導光された後、照明レンズ75 から体腔１内へ照射される。白色光L6の反射光L7は撮像レンズ76 によって集光され、プリズム77 に反射して、モザイクフィルタ78により各色成分へ分離されて、ＣＣＤ撮像素子74上に結像する。ＣＣＤ撮像素子74で光電変換されたＲ，ＧおよびＢ+ＩＲ画像信号は、ＣＣＤケーブル72を介して画像処理部83に出力される。また、予め、ＯＣＴプローブ14を挿入部10の鉗子口71へ挿入しておく。モニタ12 に表示された観察部画像２を観察しながら、挿入部10の先端を移動させ、光断層画像を取得する部位の近傍に達したところで、ＯＣＴ装置の光源部100 から低コヒーレンス光L1を射出させる。
【００４７】
低コヒーレンス光L1は、レンズ102 により集光されファイバ125 に導入される。さらに、低コヒーレンス光L1は、ファイバ125、ファイバカプラ122 、ファイバ127を介して導光され、ファイバカプラ121 において、参照光L3と測定光L4とに分割される。測定光L4は、ファイバ128 を介して導光され、レンズ171 により、ファイバ172 に導入される。ファイバ172 から射出した測定光L4は、レンズ175 により集光され、ミラー176 で反射されて、体腔１内にスポット光として照射される。なお、測定光L4の波長は、上述のように１．０μｍであるため、肉眼では測定光L4の照射部位を視認することはできない。
【００４８】
ここでＣＣＤ撮像素子74には、図２に示すような６００nm〜７５０ｎｍの波長帯域の光を透過するＲフィルタ78ａと、５００ｎｍ〜６００ｎｍの波長帯域の光を透過するＧフィルタ78ｂと、４００ｎｍ〜５００ｎｍおよび９５０ｎｍ〜１１００ｎｍの波長帯域の光を透過するＢ+ＩＲフィルタ78ｃとが配置されたモザイクフィルタ78がオンチップで形成されている。
【００４９】
したがって、白色光L6の反射光のうち、６００nm〜７５０ｎｍの波長帯域の赤（Ｒ）成分は、Ｒフィルタ78ａと透過し、５００ｎｍ〜６００ｎｍの波長帯域の緑（Ｇ）成分は、Ｇフィルタ78ｂを透過し、４００ｎｍ〜５００ｎｍの波長帯域に青（Ｂ）成分は、Ｂ+ＩＲフィルタ78ｃを透過する。またＩＲ光である測定光L4の反射光である測定光L4’も、Ｂ+ＩＲフィルタ78ｃを透過する。
【００５０】
ＣＣＤ撮像素子74では、各フィルタに対応する光像を光電変換し、画像処理部83へ出力する。画像処理部83では、まずＣＣＤ撮像素子74で撮像された信号の相関二重サンプリング、クランプ、ブランキング、増幅等のプロセス処理を行い、その後Ｒフィルタ78ａを透過して撮像されたＲ画像信号と、Ｇフィルタ78ｂを透過して撮像されたＧ画像信号と、Ｂ+ＩＲフィルタを透過して撮像されたＢ+ＩＲ画像信号とにマトリクス演算を施し、表示用の、Ｒカラー画像信号、Ｇカラー画像信号およびＢカラー画像信号からなるＲＧＢカラー画像信号を生成し、表示画像用メモリ84へ記憶し、表示タイミングに合わせてＲＧＢカラー画像信号を出力する。なお、画像処理部83におけるマトリクス演算は、Ｒ画像信号の強度およびＧ画像信号の強度に比べ、Ｂ+ＩＲ画像信号の強度が増加するようにマトリクスの係数が予め設定されている。また、画像処理部83における画像信号処理動作は、このマトリクス演算処理を除けば、通常の電子内視鏡において、通常のＲＧＢフィルタを用いて取得したＲＧＢ画像信号からＲＧＢカラー画像信号を作成する動作と同様である。
【００５１】
ビデオ信号処理回路85では、Ｒカラー画像信号、Ｇカラー画像信号およびＢカラー画像信号をビデオ信号に変換し、モニタ12へ出力する。モニタ12には、カラー画像２が表示される。
【００５２】
カラー画像２内に、測定光L4の照射部位が青色に表示されるので、観察者は測定光L4の照射部位を視認することができる。
【００５３】
次に、光断層画像４を取得する際の動作について説明する。光断層画像取得の際には、観察者は、モニタ12 に表示された観察部のカラー画像２を観察しながら、光断層画像を取得する部位を決定する。
【００５４】
説明を簡単にするために、最初に測定光L4が照射された測定領域内の所定部位（以下被照射部位と記載）の測定点における光断層情報の測定方法について説明し、その後で上記光断層画像の取得方法について説明する。低コヒーレンス光L1がＳＬＤ101 から射出される。ファイバ125 およびファイバ127 を透過し、ファイバカプラ121 で、ファイバ127 内を光路長変更部130 の方向へ進行する参照光L3と、ファイバ128 内をＯＣＴプローブ14の方向へ進行する測定光L4とに分割される。参照光L3は光路上に設けられたピエゾ素子124 により変調され、参照光L3と測定光L4には、僅かな周波数差△ｆが生じる。
【００５５】
測定光L4はファイバ128 から、レンズ171 を介してＯＣＴプローブ14のファイバ172 内へ導光される。ファイバ172 から射出された測定光L4は、レンズ系175 およびミラー176 を経て体腔１内の被照射部位へ照射される。被照射部位へ照射された測定光L4のうち被照射部位の表面および内部で反射された測定光L4’は、ミラー176 、レンズ系175 、ファイバ172 およびレンズ171 を経て、ファイバ128 に帰還せしめられる。ファイバ128 に帰還せしめられた測定光L4’は、ファイバカプラ121 において、後述するファイバ127 に帰還せしめられた参照光L3と合波される。
【００５６】
一方、ピエゾ素子124 で変調された後の参照光L3は、ファイバ127 を通過し光路長変更部130 のレンズ131 を介して、プリズム132 に入射し、このプリズム132 で反射され再度レンズ131 を透過して、ファイバ127 に帰還せしめられる。ファイバ127 に帰還せしめられた参照光L3はファイバカプラ121 で、上述した測定光L4’と合波される。
【００５７】
ファイバカプラ121 で合波された測定光L4’および参照光L3は、再び同軸上に重なることになり所定の条件の時に測定光L4’と参照光L3が干渉し、干渉光L5となり、ビート信号を発生する。
【００５８】
参照光L3および測定光L4’は、可干渉距離の短い低コヒーレンス光L1であるため、低コヒーレンス光L1が測定光L4と参照光L3に分割されたのち、測定光L4（L4’） がファイバカプラ121に到達するまでの光路長が、参照光L3がファイバカプラ121 に到達するまでの光路長に等しい場合、すなわち測定光L4’が測定点で反射されたものである場合、に両光が干渉し、この干渉する両光の周波数差（△ｆ）で強弱を繰り返すビート信号が発生する。なお、ＯＣＴ制御部15は、予め所望の測定点で反射した測定光L4（L4’）の光路長と参照光L3の光路長とが等しくなるように、光路長変更部130 のプリズム移動部133 を制御している。
【００５９】
干渉光L5は、ファイバカプラ121 で分割され、一方は、ファイバ127 を経てバランス差分検出部150 の光検出器151 に入力され、他方はファイバ128 を経て光検出器152 に入力される。
【００６０】
光検出器151 および152 では、干渉光L5から上記ビート信号の光強度を検出し、差動増幅器153 で、光検出器151 の検出値と光検出器152 の検出値の差分を求め、信号処理部160 へ出力する。なお、差動増幅器153 は、その入力値の直流成分のバランスを調整する機能を備えているため、たとえ光源部100 から出射された低コヒーレンス光L1にドリフトが生じている場合でも、直流成分のバランスを調整した上で差分を増幅することにより、ドリフト成分は相殺され、ビート信号成分のみが検出される。
【００６１】
上記の動作により、体腔１内の被照射領域の所定深度における断層情報が取得される。このような動作を、測定光L4の照射方向を回転させながら、光軸方向と略垂直な方向の測定点の位置が略5μｍ移動する毎にビート信号成分の検出を繰り返すことにより、測定光L4の照射方向の回転中心、すなわちミラー176 の中心から等距離にある測定領域３の測定点の情報を５μｍ間隔で取得することができる。
【００６２】
ＯＣＴ制御部15は、センターレスモータ184を制御してミラー176を回転させ、測定光L4の照射方向を１回転させた後、光路長変更部130 のプリズム移動部133 を制御して、参照光L3の光路長を５μｍ長くする。この状態で測定光L4の照射方向を回転させながら、再度５μｍ間隔で測定点の情報を取得することにより、最初に測定した測定点Ａ’より５μｍ外側の測定点の情報を取得する。同様に、5μｍ間隔で４００回転の測定点の情報を取得すれば、測定領域３に沿った２ｍｍ幅のリング状の領域内の測定点の情報を取得することができる。
【００６３】
信号処理部160 では、バランス差分検出部150 で検出された干渉光L5の光強度から各測定点の所定の面で反射された測定光L4’の強度を求めるヘテロダイン検出を行い、光断層画像に変換し、モニタ16に出力する。
【００６４】
モニタ16には、図１に示すような、体腔１を輪切り状態にした２ｍｍ幅のリング状の光断層画像４が表示される。
【００６５】
以上の説明で明らかなように、光断層画像取得装置がエイミング光を備えていない場合であっても、カラー画像２内に、測定光L4の照射部位が青色に表示されるので、観察者は測定光L4の照射部位を視認することができる。
【００６６】
また、モザイクフィルタ78が、Ｒ成分を透過するＲフィルタ78ａと、Ｇ成分を透過するＧフィルタ78ｂと、Ｂ成分およびＩＲ成分を透過するＢ+ＩＲフィルタ78ｃとからなるため、モザイクフィルタ78以外の構成は、既存の電子内視鏡装置の構成とほぼ同一にすることができ、安価に本発明の電子内視鏡装置を作成することができる。
【００６７】
画像処理部83では、Ｒ画像信号と、Ｇ画像信号と、Ｂ+ＩＲ画像信号とにマトリクス演算処理を施して、Ｂ+ＩＲ画像信号が強調されたＲＧＢカラー画像信号を生成するものであれば、撮像手段のＩＲ成分の撮像感度が良好でない場合であっても、近赤外光の照射部位を明瞭な青色に表示することができる。
【００６８】
なお、本実施の形態の変形例として、モザイクフィルタ78の代わりに図４Ａに示すような６００nm〜７５０ｎｍの波長帯域の光を透過するＲフィルタ61ａと、５００ｎｍ〜６００ｎｍの波長帯域の光および９５０ｎｍ〜１１００ｎｍの波長帯域の光を透過するＧ+ＩＲフィルタ61ｂと、４００ｎｍ〜５００ｎｍの波長帯域の光を透過するＢフィルタ61ｃとが配置されたモザイクフィルタ61を使用したものも考えられる。この場合、画像処理部では、Ｒ画像信号と、Ｇ+ＩＲ画像信号と、Ｂ画像信号とにマトリクス演算処理を施して、Ｇ+ＩＲ画像信号が強調された表示画像信号を生成すればよい。このような構成により、撮像手段のＩＲ成分の撮像感度が良好でない場合であっても、近赤外光の照射部位を明瞭な緑色に表示することができる。
【００６９】
なお、本実施の形態の他の変形例として、モザイクフィルタ78の代わりに図４Ｂに示すような６００nm〜７５０ｎｍの波長帯域の光および９５０ｎｍ〜１１００ｎｍの波長帯域の光を透過するＲ+ＩＲフィルタ64ａと、５００ｎｍ〜６００ｎｍの波長帯域の光を透過するＧフィルタ64ｂと、４００ｎｍ〜５００ｎｍの波長帯域の光を透過するＢフィルタ64ｃとが配置されたモザイクフィルタ64を使用したものも考えられる。この場合、画像処理部では、Ｒ+ＩＲ画像信号と、Ｇ画像信号と、Ｂ画像信号とにマトリクス演算処理を施して、Ｒ+ＩＲ画像信号が強調された表示画像信号を生成すればよい。このような構成により、撮像手段のＩＲ成分の撮像感度が良好でない場合であっても、近赤外光の照射部位を明瞭な赤色に表示することができる。
【００７０】
さらに、本実施の形態の他の変形例として、モザイクフィルタ78の代わりに図５に示すような、４枚の微少フィルタから構成されるモザイクフィルタ62を用いた電子内視鏡装置も考えられる。モザイクフィルタ62は、６００nm〜７５０ｎｍの波長帯域の光を透過するＲフィルタ62ａと、５００ｎｍ〜６００ｎｍの波長帯域の光を透過するＧフィルタ62ｂと、４００ｎｍ〜５００ｎｍ波長帯域の光を透過するＢフィルタ62ｃと、９５０ｎｍ〜１１００ｎｍの波長帯域の光を透過するＩＲフィルタ62ｄとが、図５に示すようなパターンで配置されている。
【００７１】
この場合には、画像処理部では、まずＲフィルタ62ａを透過して撮像されたＲ画像信号と、Ｇフィルタ62ｂを透過して撮像されたＧ画像信号と、Ｂフィルタ62ｃを透過して撮像されたＢ画像信号とＩＲフィルタ62ｄを透過して撮像された画像信号とを加算したＢ+ＩＲ画像信号を作成すればよい。
【００７２】
あるいは、Ｒフィルタ62ａを透過して撮像されたＲ画像信号と、Ｇフィルタ62ｂを透過して撮像されたＧ画像信号とＩＲフィルタ62ｄを透過して撮像された画像信号とを加算したＧ+ＩＲ画像信号と、Ｂフィルタ62ｃを透過して撮像されたＢ画像信号とを作成してもよい。
【００７３】
または、Ｒフィルタ62ａを透過して撮像されたＲ画像信号とＩＲフィルタ62ｄを透過して撮像された画像信号とを加算したＲ+ＩＲ画像信号と、Ｇフィルタ62ｂを透過して撮像されたＧ画像信号と、Ｂフィルタ62ｃを透過して撮像されたＢ画像信号とを作成してもよい。
【００７４】
本実施の形態のさらに他の変形例として、モザイクフィルタ78の代わりに図６に示すような、４枚の補色系の微少フィルタから構成されるモザイクフィルタ63を用いた電子内視鏡装置も考えられる。モザイクフィルタ63は、Ｒ+Ｇの波長帯域の光を透過するＭｇフィルタ63ａと、Ｂ+Ｇの波長帯域の光を透過するＣｙフィルタ62ｂと、Ｒ+Ｇの光を透過するＹｅフィルタ63ｃと、９５０ｎｍ〜１１００ｎｍの波長帯域の光を透過するＩＲフィルタ63ｄとが、図６に示すようなパターンで配置されている。
【００７５】
この場合には、画像処理部では、まずＭｇフィルタ63ａを透過したＭｇ画像信号と、Ｃｙフィルタ62ｂを透過したＣｙ画像信号と、Ｙｅフィルタ63ｃを透過したＹｅ画像信号とからＲ画像信号、Ｇ画像信号およびＢ画像信号を算出し、その後でＢ画像信号とＩＲフィルタを透過したＩＲ画像信号とを加算したＢ+ＩＲ画像信号またはＧ画像信号とＩＲ画像信号とを加算したＧ+ＩＲ画像信号を作成すればよい。
【００７６】
なお、上記のように４枚の微少フィルタを用いる場合には、各フィルタの作成が容易であること、またＢ画像信号あるいはＧ画像信号と加算する前に、ＩＲ画像信号のみを増幅することも可能になるなどの効果が得られる。
【００７７】
なお、本実施の形態では、モザイクフィルタを用いた電子内視鏡について説明したが、これに限定されるものではなく、本発明は、ＣＣＤの前面へ、3枚あるいは４枚のフィルタが回転して順次配置される面順次方式の電子内視鏡にも適用可能である。
【００７８】
また、ＩＲ成分を取得するためのフィルタの波長帯域の上限は限定される必要はない。波長帯域は、照明光の波長帯域を含まないように下限が設定され、かつ光断層画像取得装置等の近赤外光照射装置から射出される近赤外光の波長帯域を含むものであればよく、本実施の形態にように、上限が１１００ｎｍ程度であってもよいし、あるいは上限は数μｍ以上の赤外領域であってもよい。
【図面の簡単な説明】
【００７９】
【図１】本発明による第１の実施の形態である電子内視鏡装置の概略構成図
【図２】モザイクフィルの説明図
【図３】モザイクフィルの透過波長帯域の説明図
【図４】モザイクフィルタの説明図
【図５】モザイクフィルタの説明図
【図６】モザイクフィルタの説明図
【符号の説明】
【００８０】
１         体腔
２         カラー画像
３         測定領域
４         光断層画像
10         挿入部
11         観察部画像取得部
12,16      モニタ
13         ＯＣＴ取得部
14         ＯＣＴプローブ
15         ＯＣＴ制御部
71         鉗子口
72         ＣＣＤケーブル
74         ＣＣＤ撮像素子
81         照明光光源
83         画像処理部
84         ビデオ信号生成部
100        低コヒーレンス光源部
120        ファイバ結合光学系
130        光路長変更部
150        バランス差分検出部
160        信号処理部
172        ファイバ
173        被覆管
174        回転シース
175        集光レンズ系
176        ミラー
L1         低コヒーレンス光
L3         参照光
L4,L4      測定光
L5         干渉光
L6         照明光
L7         反射光
【図１】
0004799109.tif 000002
【図２】
0004799109.tif 000003
【図３】
0004799109.tif 000004
【図４】
0004799109.tif 000005
【図５】
0004799109.tif 000006
【図６】
0004799109.tif 000007